(57)【要約】  【課題】重量物を肩に担いだ際の衝撃を緩和するとともに、肩に担いだ荷物を下ろす際などに上腕部または肩部に擦過傷を受けることを未然に防止する。  【解決手段】前身頃と後身頃の上方部上側にあらかじめ主肩当て布を縫着し、且つ袖部の後方部上側にあらかじめ副肩当て布を縫着することにより、袖部を前身頃と後身頃に縫い付けた際に、主肩当て布と副肩当て布とが一体化して着用者の肩部および上腕部を覆い、主肩当て布および／または副肩当て布は、前後身頃の生地と同じであるかまたはキルティング地であり、あるいは両者の間に綿状の詰め物を介在させる。【選択図】      図１
0003129342.tif 000002
【実用新案登録請求の範囲】
【請求項１】
前身頃と後身頃とで構成しおよび袖部を有する作業服において、前身頃と後身頃の上方部上側にあらかじめ主肩当て布を縫着し、且つ袖部の後方部上側にあらかじめ副肩当て布を縫着することにより、袖部を前身頃と後身頃に縫い付けた際に、主肩当て布と副肩当て布とが一体化して着用者の肩部および上腕部を覆っている肩当て部を有する作業服。
【請求項２】
主肩当て布および／または副肩当て布をキルティング地で構成する請求項１記載の作業服。
【請求項３】
主肩当て布および／または副肩当て布と生地本体との間に綿状の詰め物を介在させる請求項１記載の作業服。
【請求項４】
主肩当て布および副肩当て布の横幅は１５〜２０ｃｍ、副肩当て布の長さは１０〜１５ｃｍである請求項１記載の作業服。
【考案の詳細な説明】
【技術分野】
【０００１】
本考案は、重量物を肩に担いだ際の衝撃を緩和するとともに、肩に担いだ荷物を下ろす際などに上腕部または肩部に擦過傷を受けることを未然に防止する肩当て部を有する作業服に関する。
【背景技術】
【０００２】
作業服は、仕事に従事するとき着用する衣服であり、作業時における不測の災害を防ぎ、寒暑、風雨や塵埃などから着用者を保護し、さらに作業活動を容易にして作業能率を高めるために着用する。作業服は、上衣、ズボン、続き服などについて規格があり、運搬作業、座業、整理作業、機械作業などの種別に従って仕事、動作、環境に対応させた規格を有する。
【０００３】
この作業服には、ハイネック、タートルまたは衿付きタイプなどがあり、通常の作業服や作業用ズボンとともに種々の機能を取り入れて使い勝手が改善され、工場作業や土木建設作業などの実施区分に応じて特定化が進んでいる。例えば、運搬作業用の作業服は、運ぶべき荷物によって身体を損傷しないように、比較的厚手の織物地で縫製する。
【０００４】
本出願人も作業服の肩当て部について種々考案しており、登録実用新案第３０４４７７４号では、肩当て部として、左右の肩シームの全体を覆うように所定幅のキルティング布を縫い付けたり、ヨーク布と等しい平面形状のキルティング地を単独または重合させて縫い付けている。登録実用新案第３０８２５５１号では、肩当て部として、ヨーク布をキルティング地で構成し、該ヨーク布の両横部を肩峰から袖部まで延ばし、これに応じて前身頃と後身頃の両横上方部を外方へ変形している。
【特許文献１】登録実用新案第３０４４７７４号公報
【特許文献１】登録実用新案第３０８２５５１号公報
【考案の開示】
【考案が解決しようとする課題】
【０００５】
厚手織物地の作業服を着用すると、運搬作業時に身体を損傷することは減少するけれども、シャツ自体が重くなって着用感が悪くなる。また、使用生地が厚くなると、生地代が高くなるうえに縫製作業が難しくなって、全体としてのコストアップにつながるうえに、洗濯や保管にも手間が掛かることになる。
【０００６】
これに対し、登録実用新案第３０４４７７４号は、作業服において、キルティング地の肩当て部を有するので荷物を肩に担いだ時の衝撃を緩和できるけれども、この作業服では肩に担いだ重量物を下ろす際などに上腕部に擦過傷を受けることを回避できない。登録実用新案第３０８２５５１号は、着用時にキルティング地の肩当て部が着用者の肩峰と上腕部上部を覆うため、着用者が肩に担いだ重量物を下ろす際などに上腕部に擦過傷を受けることを防止できる。しかしながら、この作業服では、ヨーク布を肩峰から袖部まで延ばすことに応じて前身頃と後身頃の両横上方部を外方へ変形させることを要するため、縫製作業が複雑になって縫製ミスが発生しやすく、生地裁断の際に生地の無駄も多くなる。
【０００７】
本考案は、従来の作業服に関する前記の問題点を改善するために提案されたものであり、重量物を肩に担ぐ際に上腕部または肩部に擦過傷を受けることを未然に防止できる肩当て部を有する作業服を提供することを目的としている。本考案の他の目的は、運搬作業時における上腕部や肩部の擦過傷防止とともに、縫製が容易で生地裁断の際の無駄も少ない肩当て部を有する作業服を提供することである。
【課題を解決するための手段】
【０００８】
本考案に係る肩当て部を有する作業服は、前身頃と後身頃とで構成しおよび袖部を有する。本考案の作業服では、前身頃と後身頃の上方部上側にあらかじめ主肩当て布を縫着し、且つ袖部の後方部上側にあらかじめ副肩当て布を縫着することにより、袖部を前身頃と後身頃に縫い付けた際に、主肩当て布と副肩当て布とが一体化して着用者の肩部および上腕部を覆っている。
【０００９】
本考案の作業服は、主肩当て布および／または副肩当て布をキルティング地で構成するか、または主肩当て布および／または副肩当て布と生地本体との間に綿状の詰め物を介在させることが可能である。本考案の作業服は、主肩当て布および副肩当て布の横幅は１５〜２０ｃｍ、副肩当て布の長さは１０〜１５ｃｍであると好ましい。
【００１０】
本考案を図面によって説明すると、本考案に係る作業服１は、図１に例示するように、前身頃２と後身頃３（図２）とを上辺部と両側部で縫製し、さらに筒状の袖部５，５を左右両側に縫い付ける。本考案の作業服は、前身頃が２枚になった図１のような前開きのブルゾン型やスポーツシャツ型であっても、図７に示すような長筒状のハイネック型ないしタートルネック型でもよく、この場合には、ジュエルネック、Ｖネックタイプまたはポロシャツのような衿付きタイプのいずれにも適用できる。本考案の作業服では、図１のように肩部にヨーク布を取り付けても、図７のようにヨーク布が省略されてもよく、該作業服の袖部は長袖、七分袖、半袖などのいずれをも包含する。
【００１１】
本考案において、肩当て部７は、主肩当て布８と副肩当て布１０との組み合わせであり、主肩当て布８と副肩当て布１０を合わせて統一された細長い平面形状にすると好ましい。肩当て部７は一般に細長く、例えば、図３のようなほぼ卵形の平面形状である。図１に示す作業服１では、右肩部および左肩部のいずれにも肩当て部７を縫着しているが、右肩部または左肩部の一方だけにすることも当然可能である。
【００１２】
主肩当て布８は、前身頃２と後身頃３の上方部上側に縫い付け、所望に応じてヨーク布６（図２）を介在させて縫製した後に、前身頃２とヨーク布６または後身頃３とにわたって縫着し、この縫着は袖部５の基端部を身頃２，３に縫い付ける前に行う（図４参照）。主肩当て布８は、図３に示すように、通常、半円形を少し引き伸ばしたような平面形状であり、袖部５との縫着辺２６は円弧状に凹んでいる。主肩当て布８は、横幅を１５〜２０ｃｍ，長さ１２〜１６ｃｍに定め、その長さは作業服１の肩線１２（図３）の長さよりも若干短めである。
【００１３】
副肩当て布１０は、袖部５の上方部上側に縫い付け、この縫着も袖部５の基端部を身頃２，３に縫い付ける前に行う（図４参照）。副肩当て布１０は、図３に示すように、細長い半楕円形に近い平面形状であり、身頃２，３との縫着辺２８は円弧状に突出している。副肩当て布１０は、横幅１０〜１５ｃｍ、長さ１０〜１５ｃｍに定める。
【００１４】
肩当て部７には、前身頃２および後身頃３と同じ生地を使用することが多いけれども、身頃２，３と異なる生地でもよく、これは生地の色や模様についても同様である。また、肩当て部７において、主肩当て布８と副肩当て布１０は、両者を同一の生地にすることも異なる生地の色や模様にすることも可能である。
【００１５】
肩当て部７が前身頃２および後身頃３と同じ生地であって、この生地が比較的薄い場合には肩当て部７の生地を二重にしたり、図５のように肩当て部７にキルティング地１４を用いてもよい。キルティング地１４は、重い荷物を運ぶ可能性のある用途では綿１６の量を比較的多くし、角張った荷物を運ぶ可能性のある用途では上側の布地１８を鉤裂きしにくい素材に定める。また、濡れた荷物の運搬や降雨中の作業が多い用途では、上側の布地１８に防水性の素材を用いることも可能である。
【００１６】
肩当て部７において、該肩当て部の正副肩当て布８，１０と身頃２または３の生地との間に、図６のようにクッション性の高い綿状の詰め物２０を介在させてもよい。詰め物２０は、重い荷物を運ぶ可能性のある用途では装入量を比較的多くしたり、比較的堅めの綿を使用すると好ましい。
【００１７】
肩当て部７は、袖部５を身頃２，３と縫い付ける前に縫着することで袖部５および身頃２，３と一体化させる。したがって、主肩当て布８を身頃２，３の上方部上側に且つ副肩当て布１０を袖部５の後方部上側に縫着した後に、袖部５の基端部を身頃２，３に縫い付ける。この結果、図１に示すように、肩当て部７は、身頃２，３と袖部５にわたって延設され、デザイン的に統一感が生じる。
【００１８】
図４に示すように、袖部５を身頃２，３に縫い付けると、通常、縫いしろ２２を身頃側に片返しして表布に縫い付ける。この伏せ縫い部２４では、身頃２，３と袖部５の生地ならびに主肩当て布８と副肩当て布１０の生地が重なるので厚みが増すことになる。このため、肩当て部７にキルティング地１４を用いたり、または綿状の詰め物２０を介在させる場合には、キルティング地１４内の綿や詰め物２０が伏せ縫い部２４の縫いしろ２２から除いておくことが望ましい。
【考案の効果】
【００１９】
本考案に係る作業服は、袖部に達する肩当て部を有することにより、荷物を肩に担いで運搬するような作業において、作業服の着用者はその肩部に担いだ荷物による衝撃が緩和され、且つ重量物を肩に担ぐ際または肩に担いだ重量物を下ろす際などに上腕部に擦過傷を受けることを未然に防止できる。本考案の作業服は、通常のブルゾン型やハイネックなど型のいずれにも適用可能であり、肩当て部の生地の色や形状を変えることによってデザインに変化を与えることができる。
【００２０】
本考案の作業服は、主肩当て布および副肩当て布からなる肩当て部をあらかじめ縫着するだけであり、従来のようにヨーク布を長く延ばしたり前身頃と後身頃を変形させる必要がない。このため、本考案の作業服では、そのミシン縫製作業は比較的容易であり、縫製時にミスが発生することも少ない。また、本考案の作業服において、肩当て部にキルティング地を用いたり、綿状の詰め物を介在させることにより、該肩当て部のクッション性を高め、より重い荷物の運搬に対応させることも可能である。
【考案を実施するための最良の形態】
【００２１】
次に、本考案を図面に基づいて説明するが、本考案は実施例に限定されるものではない。図１において、１対の肩当て部７，７を両肩部に縫い付けた作業服１を示す。図１に示す作業服１はブルゾン型であり、前身頃２と後身頃３（図２）および２本の長袖部５，５を有し、後身頃３の上辺に横長のヨーク布６（図２）を縫い付けてから、前身頃２とヨーク布６を上辺部で縫製し、さらに前身頃２と後身頃３とを両側部で筒状に縫製する。
【００２２】
作業服１では、右肩部および左肩部のいずれにも肩当て部７を縫着し、該肩当て部には身頃２，３と同じ生地を用いる。肩当て部７は、主肩当て布８と副肩当て布１０とからなり、図３に示すように肩当て部７は肩線１２に沿って細長く、卵形の平面形状である。主肩当て布８は、半円形を少し引き伸ばしたような平面形状であり、袖部５との縫着辺２６は円弧状に凹んでいる。副肩当て布１０は、細長い半楕円形に近い平面形状であり、身頃２，３との縫着辺２８は円弧状に突出している。
【００２３】
主肩当て布８は、図３に示すように、前身頃２とヨーク布６との縫付け部上側に２本針ミシンを用いて並行縫糸で縫い付け、この縫着は、図４から明らかなように袖部５の基端部を身頃２，３に縫い付ける前に行う。一方、副肩当て布１０は、袖部５の上方部上側に２本針ミシンを用いて並行縫糸で縫い付け、この縫着も袖部５を身頃２，３に縫い付ける前に行う。主肩当て布８および副肩当て布１０は、前身頃２とヨーク布６との縫合線である肩線１２に関してほぼ線対称に縫い付け、主肩当て布８の長さは作業服１の肩線１２の長さよりも若干短めである。
【００２４】
主肩当て布８を前身頃２およびヨーク布６の上方部上側に、且つ副肩当て布１０を袖部５の後方部上側に縫着した後に、袖部５の基端部を前身頃２、ヨーク布６の側辺および後身頃３を通して縫糸３０（図４）で筒状に縫い付ける。この結果、図１に示すように、肩当て部７は、身頃２，３から袖部５にわたって延設される。
【００２５】
図４に示すように、袖部５を身頃２，３に縫い付けると、縫いしろ２２を身頃側に片返しし、２本針ミシンを用いて並行縫糸３２で表布に縫い付ける。この伏せ縫い部２４では、身頃２，３と袖部５の生地ならびに主肩当て布８と副肩当て布１０の生地が重なって若干厚くなる。
【００２６】
作業服１では、肩当て部７，７を縫い付けた後に、垂直方向の前立て布３４で覆った前開き部にチャック３６を縫着し、裾ベルト部３８で締めている。作業服１は、フラップ付きのパッチポケットである１対の胸ポケット４０，４０を備え、さらに左右対称のスラッシュポケット４２，４２を形成する。作業服１の中央開口部には折り返し衿４４を縫着し、この衿は全体がほぼ同じ幅を有する。
【００２７】
作業服１には、身頃２，３から袖部５に達する肩当て部７，７を縫い付けることにより、荷物４６（図１）を肩に担いで運搬するような作業において、作業服１の着用者はその肩部に担いだ荷物４６による衝撃が緩和され、且つ重量物４６ａを肩に担ぐ際または肩に担いだ重量物４６ａを下ろす際などに、降下中の重量物４６ａで上腕部に擦過傷を受けることを防止できる。
【００２８】
肩当て部７には、図５のように肩当て部７にキルティング地１４を用いてもよい。キルティング地１４は、重い荷物を運ぶ可能性のある用途では綿１６の量を比較的多くする。また、肩当て部７において、該肩当て部の生地と身頃２，３の生地との間に、図６のようにクッション性の高い綿状の詰め物２０を介在させてもよい。詰め物２０は、重い荷物を運ぶ可能性のある用途では量を比較的多くすると好ましい。
【００２９】
図７に示すワークシャツ５０は、ニット生地である前身頃５２と後身頃（図示しない）および２本の長袖部５４，５４を有する。前身頃５２と後身頃とを筒状に縫製し、さらにシャツ上部に肩当て部５６，５６を縫い付ける。ワークシャツ５０は、その首部に二重ニット地の筒状ハイネック部５８を配置し、これをシャツ中央上部に縫い付けると、全体がニット生地のハイネック型のシャツとなる。また、ワークシャツ５０には、裏側の両面テープで開閉自在の胸ポケット６４を縫い付ける。
【００３０】
ワークシャツ５０では、右肩部および左肩部のいずれにも肩当て部５６を縫着し、該肩当て部には前後身頃よりも厚い生地を用いる。肩当て部５６は、主肩当て布６０と副肩当て布６２とからなり、例えば楕円形の平面形状である。主肩当て布６０は、半楕円形に近い平面形状であり、袖部５４との縫着辺は円弧状に凹んでいる。副肩当て布６２も、同径の半楕円形に近い平面形状であり、前後身頃との縫着辺は円弧状に突出している。
【００３１】
主肩当て布６０は、前身頃５２と後身頃との縫付け部上側に２本針ミシンを用いて並行縫糸で縫い付け、この縫着は、袖部５４の基端部を前後身頃に縫い付ける前に行う。一方、副肩当て布６２は、袖部５４の上方部上側に２本針ミシンを用いて並行縫糸で縫い付け、この縫着も袖部５４を前後身頃に縫い付ける前に行う。主肩当て布６０および副肩当て布６２は、前後身頃の縫合線に関してほぼ線対称に縫い付け、主肩当て布６０の長さはワークシャツ５０の縫合線の長さよりも若干短めである。
【００３２】
ワークシャツ５０が厚い生地の肩当て部５６，５６を有することにより、ワークシャツ５０の着用者はその肩部に担いだ荷物による負担を軽減して肩部損傷を防ぐことができる。特に、重量物を肩に担ぐ際に腕を擦っても、その重量物は肩当て部５６の副肩当て布６２と接触するだけで、着用者の上腕部に擦過傷を受けることを未然に防止できる。また、筒状のハイネック部５８により、運搬作業時に荷物が着用者の喉部や首筋に直接接触することを防いで喉部および首筋を保護する。
【図面の簡単な説明】
【００３３】
【図１】本考案に係る作業服の一例を示す概略正面図である。
【図２】図１の作業服の後ろ側を示す部分背面図である。
【図３】本考案で用いる肩当て部を示す平面図である。
【図４】肩当て部の要部を示す拡大断面図である。
【図５】肩当て部の他の例を示す拡大断面図である。
【図６】肩当て部の別の例を示す拡大断面図である。
【図７】本考案の変形例を示す概略正面図である。
【符号の説明】
【００３４】
１  作業服
２  前身頃
３  後身頃
５，５  袖部
６  ヨーク布
７  肩当て部
８  主肩当て布
１０  副肩当て布
【図１】
0003129342.tif 000003
【図２】
0003129342.tif 000004
【図３】
0003129342.tif 000005
【図４】
0003129342.tif 000006
【図５】
0003129342.tif 000007
【図６】
0003129342.tif 000008
【図７】
0003129342.tif 000009